(57)【要約】【課題】ラップフィルムの巻き戻り、あるいは、ラップフィルムの飛び出しを可及的に防止するように設計されたラップフィルム収納ケースを提供すること。【解決手段】一枚のシート部材が、互いに平行な山折り線１ａ、１ｂ、１ｃを介して前壁２、底壁３、後壁４、上蓋壁５が順次連接され、底壁３の左右両端側には側壁１０が連接され、後壁の左右両端側には側壁に接着連結される連結壁１４が連接され、前壁の左右両端側には可動側壁１２が連接されており、可動側壁に、折り線１９および切刻線２０によって形成される軸受部用起立片２１を設け、側壁に、折り線２２および切刻線２３によって形成される可動範囲規制用起立片２４を設け、組立て状態において、可動範囲規制用起立片が軸受部用起立片の起立後の開口内に位置し、外力の付与により、前壁を回動可能にしたラップフィルム収納ケース。【選択図】図１
0003111801.tif 000002
【実用新案登録請求の範囲】
【請求項１】
適度の剛直性を有する一枚のシート部材Ｓ１からなり、前記シート部材Ｓ１は、互いに平行な山折り線１ａ、１ｂ、１ｃを介して前壁２、底壁３、後壁４、上蓋壁５が順次連接され、前記底壁３の左右両端側には、山折り線９、９を介して側壁１０、１０が連接されており、前記後壁４の左右両端側には、山折り線１３、１３を介して前記側壁１０、１０に接着連結される連結壁１４、１４が連接されており、前記前壁２の左右両端側には、山折り線１１、１１を介して可動側壁１２、１２が連接されており、前記可動側壁１２に、折り線１９および切刻線２０によって形成される軸受部用起立片２１を設け、前記側壁１０に、折り線２２および切刻線２３によって形成される可動範囲規制用起立片２４を設け、組立て状態において、前記可動範囲規制用起立片２４が前記軸受部用起立片２１の起立後の開口２５内に位置し、外力の付与により、前記前壁２を回動可能にしたことを特徴とするラップフィルム収納ケース。
【請求項２】
適度の剛直性を有する一枚のシート部材Ｓ２からなり、前記シート部材Ｓ２は、互いに平行な山折り線１ａ、１ｂ、１ｃを介して前壁２、底壁３、後壁４、上蓋壁５が順次連接され、前記底壁３の左右両端側には、山折り線９、９を介して側壁１０、１０が連接されており、前記前壁２の左右両端側には、山折り線１１、１１を介して前記側壁１０、１０に接着連結される連結壁１４、１４が連接されており、前記後壁４の左右両端側には、山折り線１３、１３を介して可動側壁１２、１２が連接されており、前記可動側壁１２に、折り線１９および切刻線２０によって形成される軸受部用起立片２１を設け、前記側壁１０に、折り線２２および切刻線２３によって形成される可動範囲規制用起立片２４を設け、組立て状態において、前記可動範囲規制用起立片２４が前記軸受部用起立片２１の起立後の開口２５内に位置し、外力の付与により、前記後壁４を回動可能にしたことを特徴とするラップフィルム収納ケース。
【考案の詳細な説明】
【技術分野】
【０００１】
この考案は、ロールに巻かれたラップフィルムを収納し、そのラップフィルムを必要量巻き出して使用する食品包装用のラップフィルム収納ケースに係るものであり、特に、ラップフィルムの巻き戻り、あるいは、ラップフィルムの飛び出しを可及的に防止することができるように設計されたラップフィルム収納ケースに関するものである。
【背景技術】
【０００２】
従来、食品包装用のラップフィルムは、円筒状の紙管などにロール状に巻かれたものであり、連接折り線を介して連接されている開閉可能な上蓋を備えていて、例えば、前記上蓋側にラップフィルム切断用カッターを具備した紙製の収納箱内に収納された状態で市販されている。このラップフィルム収納ケースを使用する場合は、ロール状に巻かれたラップフィルムを使用する量だけ引き出し、収納箱上蓋側に備え付けられたカッターでラップフィルムを切り取って使用している。
【０００３】
しかしながら、従来のラップフィルム収納ケースは、使用する量だけラップフィルムを切り取る際、往々にして当該収納ケースの中からロール状に巻かれたラップフィルムが飛び出してしまったり、あるいは、使用する量だけラップフィルムを切り取った後、ロール状に巻かれたラップフィルムの端部が収納ケース内に巻き戻ってしまうなどの問題点を有していた。
【考案の開示】
【考案が解決しようとする課題】
【０００４】
そこで、この考案では、ロールに巻かれたラップフィルムを収納し、そのラップフィルムを必要量巻き出して使用する食品包装用のラップフィルム収納ケースにおいて、特に、ラップフィルムの巻き戻り、あるいは、ラップフィルムの飛び出しを可及的に防止することができるように設計されたラップフィルム収納ケースを提供するものである。
【課題を解決するための手段】
【０００５】
この考案は、上記する目的を達成するにあたって、請求項１に記載の考案は、適度の剛直性を有する一枚のシート部材からなり、前記シート部材は、互いに平行な山折り線を介して前壁、底壁、後壁、上蓋壁が順次連接され、前記底壁の左右両端側には、山折り線を介して側壁が連接されており、前記後壁の左右両端側には、山折り線を介して前記側壁に接着層により接着連結される連結壁が連接されており、前記前壁の左右両端側には、山折り線を介して可動側壁が連接されており、前記可動側壁に、折り線および切刻線によって形成される軸受部用起立片を設け、前記側壁に、折り線および切刻線によって形成される可動範囲規制用起立片を設け、組立て状態において、前記可動範囲規制用起立片が前記軸受部用起立片の起立後の開口内に位置し、外力の付与により、前記前壁を回動可能にしたことを特徴とするラップフィルム収納ケースを構成するものである。
【０００６】
さらに、この考案において請求項２に記載の考案は、適度の剛直性を有する一枚のシート部材からなり、前記シート部材は、互いに平行な山折り線を介して前壁、底壁、後壁、上蓋壁が順次連接され、前記底壁の左右両端側には、山折り線を介して側壁が連接されており、前記前壁の左右両端側には、山折り線を介して前記側壁に接着層により接着連結される連結壁が連接されており、前記後壁の左右両端側には、山折り線を介して可動側壁が連接されており、前記可動側壁に、折り線および切刻線によって形成される軸受部用起立片を設け、前記側壁に、折り線および切刻線によって形成される可動範囲規制用起立片を設け、組立て状態において、前記可動範囲規制用起立片が前記軸受部用起立片の起立後の開口内に位置し、外力の付与により、前記後壁を回動可能にしたことを特徴とするラップフィルム収納ケースを構成するものでもある。
【考案の効果】
【０００７】
この考案になるラップフィルム収納ケースは、軸方向端部の側壁の一部を未接着の構造に設計し、回動可能な側壁としたことにより、外力の付与によって、当該側壁に連接する前壁あるいは後壁を底壁との連接折り線のまわりに回動させることができ、一方の手で収納ケースを掴み、他方の手でラップフィルムの巻き出し端部を掴んでラップフィルムを必要量引き出す際、前記一方の手で収納ケースを掴むと、内部のロール状ラップフィルムを収納ケース越しにホールドすることができるので、ロール状ラップフィルムの飛び出し、あるいは、ラップフィルムの巻き出し端部の巻き戻りを可及的に防止することができ、その点において極めて有効に作用するものといえる。
【考案を実施するための最良の形態】
【０００８】
以下、この考案になるラップフィルム収納ケースについて、図面に示す具体的な実施例に基づいて詳細に説明する。図１は、この考案になるラップフィルム収納ケースにあって、請求項１に記載の第１の考案における第１の実施例に係るラップフィルム収納ケースのための型抜きシートを展開して示す概略的な展開平面図である。図２は、その第２の考案における第２の実施例に係るラップフィルム収納ケースのための型抜きシートを展開して示す概略的な展開平面図である。図３は、この考案になるラップフィルム収納ケースの外観図であって、図３Ａは、開封用ジッパー線に沿って開封の状態を仮想線で示す概略的な斜視図であり、図３Ｂは、開封後、上蓋を開けた状態を示す概略的な斜視図である。
【０００９】
一方、図４は、この考案になるラップフィルム収納ケースにおいて、可動側壁の詳細を部分的に破断して示す概略的な斜視図である。図５は、可動側壁の動きを示すものであって、図５Ａは、第１の考案に係る前壁が可動する構成のもので、図５Ａ−１は、その概略的な中央横断断面図であり、図５Ａ−２は、前壁を押圧して回動させた状態を示す概略的な中央横断断面図である。これに対して、図５Ｂは、第２の考案に係る後壁が可動する構成のもので、図５Ｂ−１は、その概略的な中央横断断面図であり、図５Ｂ−２は、後壁を押圧して回動させた状態を示す概略的な中央横断断面図である。
【００１０】
この考案になるラップフィルム収納ケースＣは、例えば、ラップフィルム収納ケースの内部にロール状に巻かれたラップフィルムＲｆを収納したのち、当該ラップフィルム収納ケースを完全に封緘して、内部ラップフィルムＲｆを使用するときには、開封用ジッパー線に沿って開封し、ロール状に巻かれたラップフィルムＲｆの端部を掴んで巻き出す構成のものであり、請求項１（図１）に記載の第１の考案と、請求項２（図２）に記載の第２の考案とを含むものによって構成されている。
【００１１】
まず、第１の考案に関して、図１に示す第１の実施例にもとづいて詳細に説明する。第１の考案における実施例になるラップフィルム収納ケースは、前壁２が可動する構成のものであり、適度の剛直性を有する一枚の型抜きシートＳ１によって構成されている。一枚の型抜きシートＳ１は、図１に示すように、互いに平行な山折り線１ａ、１ｂ、１ｃ、１ｄを介して前壁２、底壁３、後壁４、上蓋壁５および前蓋壁６が順次連接されている。前記底壁３の左右両端側には、山折り線９、９を介して側壁１０、１０が連接され、前記後壁４の左右両端側には、山折り線１３、１３を介して前記側壁１０、１０に接着層２８により接着連結される連結壁１４、１４が連接され、前記前壁２の左右両端側には、山折り線１１、１１を介して可動側壁１２、１２が連接され、前記上蓋壁５の左右両端側には、山折り線１５、１５を介して連結壁１６、１６が連接され、前記前蓋壁６の左右両端側には、山折り線１７、１７を介して前記連結壁１６、１６に接着層２９により接着連結される連結壁１８、１８が連接されている。
【００１２】
前記前蓋壁６には、開封用ジッパー線７が設けてあり、前記開封用ジッパー線７を介して貼着片８が連接してある。前記前蓋壁６の裏面側には、前記開封用ジッパー線７に沿ってラップフィルム切離刃２６が取り付けられている。前記前壁２に対して、山折り線１ｅを介して押え壁２７が設けてある。この押え壁２７は、ラップフィルムの巻き戻り並びに飛び出しを防止する役割を果たしている。
【００１３】
さらに、この考案では、前記可動側壁１２に対しては、折り線１９および切刻線２０によって形成される軸受部用起立片２１が設けられており、前記側壁１０に対しては、折り線２２および切刻線２３によって形成される可動範囲規制用起立片２４が設けられている。前記軸受部用起立片２１と可動範囲規制用起立片２４とは、組立て状態において、前記可動範囲規制用起立片２４が前記軸受部用起立片２１の起立後の開口２５内に位置し、外力の付与により、前記前壁２を回動可能に構成してある。要するに、前記可動側壁１２は、 他の構成部分に対して未接着構造のものである。
【００１４】
次いで、第２の考案に関して、図２に示す第２の実施例にもとづいて詳細に説明する。第２の考案における実施例になるラップフィルム収納ケースは、後壁４が可動する構成のものであり、適度の剛直性を有する一枚の型抜きシートＳ２によって構成されている。一枚の型抜きシートＳ２は、図２に示すように、互いに平行な山折り線１ａ、１ｂ、１ｃ、１ｄを介して前壁２、底壁３、後壁４、上蓋壁５および前蓋壁６が順次連接されている。前記底壁３の左右両端側には、山折り線９、９を介して側壁１０、１０が連接され、前記前壁２の左右両端側には、山折り線１１、１１を介して前記側壁１０、１０に接着層２８により接着連結される連結壁１４、１４が連接され、前記後壁４の左右両端側には、山折り線１３、１３を介して可動側壁１２、１２が連接され、前記上蓋壁５の左右両端側には、山折り線１５、１５を介して連結壁１６、１６が連接され、前記前蓋壁６の左右両端側には、山折り線１７、１７を介して前記連結壁１６、１６に接着層２９により接着連結される連結壁１８、１８が連接されている。
【００１５】
前記前蓋壁６には、開封用ジッパー線７が設けてあり、前記開封用ジッパー線７を介して貼着片８が連接してある。前記前蓋壁６の裏面側には、前記開封用ジッパー線７に沿ってラップフィルム切離刃２６が取り付けられている。前記前壁２に対して、山折り線１ｅを介して押え壁２７が設けてある。この押え壁２７は、ラップフィルムの巻き戻り並びに飛び出しを防止する役割を果たしている。
【００１６】
さらに、この第２の考案においても、前記可動側壁１２に対しては、折り線１９および切刻線２０によって形成される軸受部用起立片２１が設けられており、前記側壁１０に対しては、折り線２２および切刻線２３によって形成される可動範囲規制用起立片２４が設けられている。前記軸受部用起立片２１と可動範囲規制用起立片２４とは、組立て状態において、前記可動範囲規制用起立片２４が前記軸受部用起立片２１の起立後の開口２５内に位置し、外力の付与により、前記後壁４を回動可能に構成してある。要するに、前記可動側壁１２は、 他の構成部分に対して未接着構造のものである。
【００１７】
次に、図５各図を参照して、この考案になるラップフィルム収納ケースにおける可動側壁の動きについて説明する。図５Ａは、第１の考案に係る前壁２が可動する構成のもので、図５Ａ−１は、その動く前の状態を示すものであり、図５Ａ−２は、前壁を押圧して回動させた状態を示すものである。この図からも明らかなように、ラップフィルムを引き出そうとする際、一方の手でラップフィルム収納ケースを掴み、他方の手でラップフィルムの引き出し端部を掴んで当該ラップフィルムを必要量引き出し、フィルム切離用カッターによって切離する。この際、ラップフィルム収納ケースは、一方の手によって掴まれているので外力が付与され、前壁２が、図５Ａ−２に示すように回動し、ラップフィルム収納ケース越しにロール状に巻かれているラップフィルムをホールドするので、当該ラップフィルムの飛び出し、 並びに、フィルム端部の巻き戻りを防止することができる。
【００１８】
図５Ｂは、第２の考案に係る後壁４が可動する構成のもので、図５Ｂ−１は、その動く前の状態を示すものであり、図５Ｂ−２は、後壁４を押圧して回動させた状態を示すものである。この図からも明らかなように、ラップフィルムを引き出そうとする際、一方の手でラップフィルム収納ケースを掴み、他方の手でラップフィルムの引き出し端部を掴んで当該ラップフィルムを必要量引き出し、フィルム切離用カッターによって切離する。この際、ラップフィルム収納ケースは、一方の手によって掴まれているので外力が付与され、後壁２が、図５Ｂ−２に示すように回動し、ラップフィルム収納ケース越しにロール状に巻かれているラップフィルムをホールドするので、当該ラップフィルムの飛び出し、 並びに、フィルム端部の巻き戻りを防止することができる。
【図面の簡単な説明】
【００１９】
【図１】図１は、この考案になるラップフィルム収納ケースにあって、請求項１に記載の第１の考案における第１の実施例に係るラップフィルム収納ケースのための型抜きシートを展開して示す概略的な展開平面図である。
【図２】図２は、その第２の考案における第２の実施例に係るラップフィルム収納ケースのための型抜きシートを展開して示す概略的な展開平面図である。
【図３】図３は、この考案になるラップフィルム収納ケースの外観図であって、図３Ａは、開封用ジッパー線に沿って開封の状態を仮想線で示す概略的な斜視図であり、図３Ｂは、開封後、上蓋を開けた状態を示す概略的な斜視図である。
【図４】図４は、可動側壁の詳細を部分的に破断して示す概略的な斜視図である。
【図５】図５は、可動側壁の動きを示すものであって、図５Ａは、第１の考案に係る前壁２が可動する構成のもので、図５Ａ−１は、その動く前の状態を示す概略的な中央横断断面図であり、図５Ａ−２は、前壁を押圧して回動させた状態を示す概略的な中央横断断面図である。図５Ｂは、第２の考案に係る後壁が可動する構成のもので、図５Ｂ−１は、その動く前の状態を示す概略的な中央横断断面図であり、図５Ｂ−２は、後壁を押圧して回動させた状態を示す概略的な中央横断断面図である。
【符号の説明】
【００２０】
Ｃ  ラップフィルム収納ケース
Ｓ１、Ｓ２  型抜きシート
Ｒｆ  ラップフィルム
１ａ、１ｂ、１ｃ、１ｄ、１ｅ  互いに平行な山折り線
２  前壁
３  底壁
４  後壁
５  上蓋壁
６  前蓋壁
７  開封用ジッパー線
８  貼着片
９、９  山折り線
１０、１０  側壁
１１、１１  山折り線
１２、１２  可動側壁
１３、１３  山折り線
１４、１４  連結壁
１５、１５  山折り線
１６、１６  連結壁
１７、１７  山折り線
１８、１８  連結壁
１９  折り線
２０  切刻線
２１  軸受部用起立片
２２  折り線
２３  切刻線
２４  可動範囲規制用起立片
２５  軸受部用起立片の起立後の開口
２６  ラップフィルム切離刃
２７  押え壁
２８、２９  接着層
【図１】
0003111801.tif 000003
【図２】
0003111801.tif 000004
【図３】
0003111801.tif 000005
【図４】
0003111801.tif 000006
【図５】
0003111801.tif 000007